(57)【要約】【課題】ドラム部材及び画像表示装置の配設位置の変更を簡単な構成で実現できる遊戯機用役物装置の提供。【解決手段】図柄が描かれた第１ドラム部２及び第２ドラム部３を含むドラム部材と、趣向を盛り上げるための画像表示装置１とを備えると共に、駆動モータ１１と、この駆動モータ１１の駆動により画像表示装置１の配設位置を変更させるようにこの画像表示装置１を移動させる第１移動機構と、駆動モータ１１の駆動により上述のドラム部材の配設位置を変更させるようにこのドラム部材を移動させる第２移動機構とを備えた構成にしてある。【選択図】図１
2006102218.tif 000002
【特許請求の範囲】
【請求項１】
図柄が描かれたドラム部材と、趣向を盛り上げるための画像表示装置とを備えた遊戯機用役物装置において、
駆動モータと、この駆動モータの駆動により上記画像表示装置の配設位置を変更させるようにこの画像表示装置を移動させる第１移動機構と、上記駆動モータの駆動により上記ドラム部材の配設位置を変更させるようにこのドラム部材を移動させる第２移動機構とを備えたことを特徴とする遊戯機用役物装置。
【請求項２】
上記請求項１記載の発明において、
上記駆動モータの動力を、上記第１移動機構及び上記第２移動機構のいずれかを作動させる力として選択的に伝える動力切換機構を備えたことを特徴とする遊戯機用役物装置。
【請求項３】
上記請求項２記載の発明において、
上記第１移動機構は、上記画像表示装置を前後方向へ進退可能にし、
上記ドラム部材は左右一対のドラム部から成り、
上記第２移動機構は、上記各ドラム部を相互に接離する方向へ移動可能にし、
上記画像表示装置が後方へ退いた後に、上記動力切換機構が作動して上記各ドラム部が接近する方向へ移動することを特徴とする遊戯機用役物装置。
【請求項４】
上記請求項３記載の発明において、
上記動力切換機構は、上記第１移動機構に連結される第１カム部と、上記第２移動機構に連結される第２カム部とを含むことを特徴とする遊戯機用役物装置。
【請求項５】
上記請求項３記載の発明において、
上記動力切換機構は、上記駆動モータの動力を上記第１移動機構に伝える第１ギヤ部と、この第１ギヤ部とは別体に設けられ、上記駆動モータの動力を上記第２移動機構に伝える第２ギヤ部とを含むことを特徴とする遊戯機用役物装置。
【発明の詳細な説明】
【技術分野】
【０００１】
本発明は、ドラム部材と共に画像表示装置を有する遊戯機用役物装置に関する。
【背景技術】
【０００２】
この種の従来技術として、特許文献１に示されるものがある。この従来技術は、配設位置が固定された複数のドラム部から成るドラム部材と、このドラム部材の中央位置に固定され、液晶やドットマトリックスから成る画像表示装置とを備えた構成になっている。
【特許文献１】特開２０００−７９２１５公報
【発明の開示】
【発明が解決しようとする課題】
【０００３】
上述した従来技術は、ドラム部材に加えて画像表示装置を備えていることから斬新性を確保できるものの、ドラム部材及び画像表示装置の配設位置が固定されているために、趣向に欠ける問題がある。
【０００４】
したがって、さらに趣向を盛り上げるために、ドラム部材及び画像表示装置の配設位置を変更できるようにしたいという要望がある。しかし、この要望に応えるための構成が複雑になると、装置全体の大型化、及び製作費の高騰化を招くことになって都合が悪い。
【０００５】
本発明は、上述した従来技術における実状からなされたもので、その目的は、ドラム部材及び画像表示装置の配設位置の変更を簡単な構成で実現できる遊戯機用役物装置を提供することにある。
【課題を解決するための手段】
【０００６】
上記目的を達成するために、本発明は、図柄が描かれたドラム部材と、趣向を盛り上げるための画像表示装置とを備えた遊戯機用役物装置において、駆動モータと、この駆動モータの駆動により上記画像表示装置の配設位置を変更させるようにこの画像表示装置を移動させる第１移動機構と、上記駆動モータの駆動により上記ドラム部材の配設位置を変更させるようにこのドラム部材を移動させる第２移動機構とを備えたことを特徴としている。
【０００７】
このように構成した本発明は、駆動モータの駆動により第１移動機構、第２移動機構を作動させて、ドラム部材及び画像表示装置を移動させ、これらのドラム部材及び画像表示装置の配設位置を変更させることができる。第１移動機構、第２移動機構を作動させる駆動モータは１個でよく、したがってドラム部材及び画像表示装置の配設位置の変更を簡単な構成で実現できる。
【０００８】
また本発明は、上記発明において、上記駆動モータの動力を、上記第１移動機構及び上記第２移動機構のいずれかを作動させる力として選択的に伝える動力切換機構を備えたことを特徴としている。
【０００９】
このように構成した本発明は、動力切換機構を適宜作動させて動力を切換えることにより、駆動モータの動力を例えば第１移動機構に伝えて画像表示装置を移動させ、その後に駆動モータの動力を第２移動機構に伝えてドラム部材を移動させるなどのように、画像表示装置とドラム部材とを動力切換機構によってタイミングをずらして移動させることができる。
【００１０】
また本発明は、上記発明において、上記第１移動機構は、上記画像表示装置を前後方向へ進退可能にし、上記ドラム部材は左右一対のドラム部から成り、上記第２移動機構は、上記各ドラム部を相互に接離する方向へ移動可能にし、上記画像表示装置が後方へ退いた後に、上記動力切換機構が作動して上記各ドラム部が接近する方向へ移動することを特徴としている。
【００１１】
このように構成した本発明は、第１移動機構及び第２移動機構を選択的に移動させることにより、例えば１対のドラム部と画像表示装置とを前面に並べた配設形態から、画像表示装置を後退させ、１対のドラム部を互いに接近させて前面に並べる配設形態に変更させることができる。
【００１２】
また本発明は、上記発明において、上記動力切換機構は、上記第１移動機構に連結される第１カム部と、上記第２移動機構に連結される第２カム部とを含むことを特徴としている。
【００１３】
このように構成した本発明は、第１カム部及び第２カム部を介して、第１移動機構及び第２移動機構を作動させ、画像表示装置及びドラム部材の円滑な移動を実現できる。
【００１４】
また本発明は、上記発明において、上記動力切換機構は、上記駆動モータの動力を上記第１移動機構に伝える第１ギヤ部と、この第１ギヤ部とは別体に設けられ、上記駆動モータの動力を上記第２移動機構に伝える第２ギヤ部とを含むことを特徴としている。
【００１５】
このように構成した本発明は、第１ギヤ部を介しての第１移動機構の作動、及び第２ギヤ部を介しての第２移動機構の作動により、画像表示装置及びドラム部材の円滑な移動を実現できる。
【発明の効果】
【００１６】
本発明は、ドラム部材及び画像表示装置の配設位置の変更を、駆動源として１個の駆動モータを備えれば済む簡単な構成で実現でき、装置全体の大型化、及び製作費の高騰化を抑えながら、従来よりもさらに優れた斬新性を確保することができる。
【発明を実施するための最良の形態】
【００１７】
以下，本発明に係る遊戯機用役物装置を実施するための最良の形態を図に基づいて説明する。
【００１８】
［第１実施形態の構成］
図１〜６は本発明に係る遊戯機用役物装置の第１実施形態を示す図で、図１は画像表示装置を前進させた状態を示す平面図、図２は図１の状態における画像表示装置、第１ドラム部、及び第２ドラム部の配置を示す平面図、図３は図２の正面図である。また、図４は画像表示装置を後退させた状態を示す平面図、図５は図４の状態における画像表示装置、第１ドラム部、及び第２ドラム部の配置を示す平面図、図６は図５の正面図である。
【００１９】
この第１実施形態は、遊戯機に配置されるものであり、図１〜３等に示すように、趣向を盛り上げるために設けられ、液晶等から成る画像表示装置１と、図柄が描かれ、例えば左右一対の第１ドラム部２、第２ドラム部３から成るドラム部材とを備えている。
【００２０】
図１に示すように、画像表示装置１には、ガイド部材４を固定してあり、このガイド部材４の左右端部のそれぞれには、第１ガイド溝５、第２ガイド溝６を形成してある。
【００２１】
ドラム部材を構成する第１ドラム部２には、ガイド溝７を有する第１ラック８を固定してあり、第２ドラム部３には第２ラック９を固定してある。これらの第１ラック８と第２ラック９は、この遊戯機の図示しないケーシング内において回転自在に保持されるギヤ１０に噛み合っている。ギヤ１０を挟むように、第１ラック８と第２ラック９とを対向するように配置してある。
【００２２】
駆動源を構成する駆動モータ１１は１個だけ設けてあり、その出力軸にはウォーム１２を取付けてある。このウォーム１２と噛み合うギヤ１３は、図示しないケーシング内に固定保持される回動支点１４を中心に回動自在になっている。このギヤ１３には、同図１に示すように、回動支点１４を囲むように、それぞれ溝形状から成る第１カム部１５と第２カム部１６とを形成してある。
【００２３】
また、図示しないケーシング内に固定保持される回動支点１７を中心に回動可能な第１アーム１８と、図示しないケーシング内に固定保持される回動支点１９を中心に回動可能な第２アーム２０とを備えている。第１アーム１８は、上述したガイド部材４の第１ガイド溝５内を摺動可能なピン２１と、上述したギヤ１３の第１カム部１５の溝内を摺動可能なピン２２とを備えている。第２アーム２０は、ガイド部材４の第２ガイド溝６内を摺動可能なピン２３を備えている。
【００２４】
また、図示しないケーシング内に固定保持される回動支点２４を中心に回動可能な「く」の字状のアーム２５を備え、このアーム２５は前述した第１ラック８のガイド溝７内を摺動可能なピン２６と、上述したギヤ１３の第２カム部１６の溝内を摺動可能なピン２７とを備えている。なお、図３には画像表示装置１と一対のドラム部２，３とによって形成されるこの遊戯機の前面側に形成される表示領域２８を示してある。
【００２５】
上述したガイド部材４と、第１アーム１８及び第２アーム２０とによって、駆動モータ１１の駆動により画像表示装置１の配設位置を変更させるようにこの画像表示装置１を移動させる第１移動機構、例えば画像表示装置１を図１の紙面の上下方向である前後方向へ進退させる第１移動機構が構成されている。
【００２６】
また、上述した第１ラック８及び第２ラック９と、ギヤ１０と、アーム２５とによって、駆動モータ１１により第１ドラム部２と第２ドラム部３とから成るドラム部材の配設位置を変更させるようにこのドラム部材を移動させる第２移動機構、例えば第１ドラム部２と第２ドラム部３とを相互に接離する左右方向へ移動させる第２移動機構が構成されている。
【００２７】
また、上述したウォーム１２と噛み合うギヤ１３に形成した第１カム部１５と第２カム部１６とによって、駆動モータ１１の動力を、上述した第１移動機構及び第２移動機構のいずれかを作動させる力として選択的に伝える動力切換機構が構成されている。
【００２８】
［第１実施形態の動作］
図１に示す状態では、図２，３に示すように、表示領域２８内の中央位置に画像表示装置１が配置され、この画像表示装置１の左右に第１ドラム部２と第２ドラム部３のそれぞれが並べて配置されている。すなわち、この遊戯機の前面側に、画像表示装置１と、第１ドラム部２及び第２ドラム部３の３つが並べて配置される第１の表示形態が形成されている。
【００２９】
この第１の表示形態にあっては、画像表示装置１を移動させる第１移動機構に含まれる第１アーム１８に備えられたピン２２は、第１カム部１５の大径部に位置し、第２移動機構に含まれるアーム２５に備えられたピン２７は、第２カム部１６の大径部に位置している。また、第１ドラム部２と第２ドラム部３を移動させる第２移動機構に含まれる第１ラック８の図１の右端部分がギヤ１０に噛み合い、第２移動機構に含まれる第２ラック９の図１の左端部分がギヤ１０に噛み合っている。
【００３０】
この第１の表示形態にある状態から、駆動モータ１１を駆動し、ウォーム１２を介してギヤ１３を図１において時計回りに回転させると、アーム２５のピン２７が第２カム部１６の大径部を摺動する間、第１アーム１８のピン２２が第１カム部１５の大径部から小径部へと案内される。これによって、第１アーム１８、ガイド部材４、及び第２アーム１９を介して画像表示装置１が後方へ退くように移動する。この画像表示装置１の後退の後、引き続いて行なわれるギヤ１３の同方向の回転に伴ってアーム２５のピン２７が第２カム部１６の大径部から小径部へと案内され、アーム２５を介して第１ラック８が図１の右方向に移動する。この移動と一体に第１ドラム部２が図１の右方向に移動する。
【００３１】
また、第１ラック８の移動と連動してギヤ１０を介して第２ラック９が図１の左方向に移動する。この移動と一体に第２ドラム部３が図１の左方向に移動する。すなわち、第１ドラム部２と第２ドラム部３とが互いに接近する方向に移動し、図４に示す状態において、これらの第１ドラム部２と第２ドラム部３との移動が終了するように駆動モータ１１は停止制御される。
【００３２】
この図４に示す状態に至ると、図５，６に示すように、遊戯機の前面側に第１ドラム部２及び第２ドラム部３の２つだけが並べて配置される第２の表示形態が形成される。画像表示装置１は、これらの第１ドラム部２、第２ドラム部３の後方に位置するので、この遊戯機の前側からは見えない状態となる。
【００３３】
また上述とは逆に、図４に示す状態から、駆動モータ１１を反転駆動すると、上述とは逆の動作が行なわれる。すなわち、アーム２５のピン２７が第２カム部１６の小径部から大径部へと案内される。これによりアーム２５を介して、第１ラック８が図４の左方向に移動し、これに連動してギヤ１０を介して第２ラック９が図４の右方向に移動する。第１ドラム部２、第２ドラム部３が左右方向の所定位置に配置され、これらの第１ドラム部２と第２ドラム部３との間が開かれた後に、第１アーム１８のピン２２が第１カム部１５の小径部から大径部へと案内され、画像表示装置１が前進して第１ドラム部２と第２ドラム部３との間に進入し、図１に示す第１の表示形態となる。
【００３４】
このように構成した本発明の第１実施形態によれば、駆動モータ１１の駆動により、第１移動機構に含まれる第１アーム１８、ガイド部材４、第２アーム２０を介して画像表示装置１を後退あるいは前進させ、また、第２移動機構に含まれるアーム２５、第１ラック８及び第２ラック９を介して第１ドラム部２及び第２ドラム部３を左右方向に移動させることにより、表示領域２８に、図２，３に示す第１の表示形態と図５，６に示す第２の表示形態のいずれかを形成させることができる。
【００３５】
すなわち、第１移動機構、第２移動機構を作動させる駆動源である駆動モータ１１は１個で済む。したがって、第１ドラム部２及び第２ドラム部３を含むドラム部材と、画像表示装置１の配設位置の変更を簡単な構成で実現でき、装置全体の大型化、及び製作費の高騰化を抑えながら、さらに優れた斬新性を確保することができる。
【００３６】
また、画像表示装置１を移動させる第１移動機構の作動と、第１ドラム部２、第２ドラム部３を含むドラム部材を移動させる第２移動機構の作動との切換えを、ギヤ１３に形成した第１カム部１５、第２カム部１６、及びこれらのカム部１５，１６を摺動するピン２２，２７を介して行なわせるようにしてある。これによって、画像表示装置１及びドラム部材の円滑な移動を実現させることができ、精度の高い配設位置変更性能を確保できる。
【００３７】
［第２実施形態の構成］
図７〜８は本発明の第２実施形態を示す図で、図７は画像表示装置を前進させた状態を示す平面図、図８は画像表示装置を後退させた状態を示す平面図、図９は動力切換動作を説明する平面図である。また、図１０は、この第２実施形態に備えられる第１ラックの要部、及びこの第１ラックに関連して設けられるスライダを示す平面図、図１１は、この第２実施形態に備えられる突起を有する回動体と、第１ラックの係合部との係合関係を示す図である。さらに、図１２は図７及び図９の状態にある第１ラックと、スライダと、アームのピンとの位置関係を示す図、図１３は図８の状態にある第１ラックと、スライダと、アームのピンとの位置関係を示す図である。
【００３８】
この第２実施形態も、遊戯機に配置されるものであり、図７，８に示すように、趣向を盛り上げるために設けられ、液晶等から成る画像表示装置１と、図柄が描かれ、例えば左右一対の第１ドラム部２、第２ドラム部３から成るドラム部材とを備えている。
【００３９】
図７等に示すように、画像表示装置１には、この画像表示装置１を進退させるスクリュー３０を螺合させてあり、このスクリュー３０の端部にはギヤ３１を固定してある。
【００４０】
ドラム部材を構成する第１ドラム部２には、ガイド溝３８を有する第１ラック３５を固定してあり、第２ドラム部３には、第２ラック３６を固定してある。これらの第１ラック３５と第２ラック３６は、この遊戯機の図示しないケーシング内において回転自在に保持されるギヤ３７に噛み合っている。ギヤ３７を挟むように、第１ラック３５と第２ラック３６とを対向するように配置してある。
【００４１】
駆動源を構成する駆動モータ５４は１個だけ設けてあり、その出力軸にはウォーム５５を取付けてある。駆動モータ５４は、この遊戯機の図示しないケーシング内において固定保持されている。
【００４２】
また、前後方向すなわち図７の矢印５０方向に移動可能な移動体５１を備え、この移動体５１に、互いに別体に設けられる第１ギヤ部と第２ギヤ部とを保持させてある。第１ギヤ部は、上述のウォーム５５に選択的に噛み合うギヤ５６と、このギヤ５６と一体に設けられ、上述のスクリュー３０の端部に設けたギヤ３１に噛合可能なギヤ５７とを含んでいる。第２ギヤ部は、上述のウォーム５５に選択的に噛み合うギヤ５８と、このギヤ５８と一体に設けたギヤ５９とを含んでいる。移動体５１の移動と一体に、ギヤ５６，５７、及びギヤ５８，５９が移動するようになっている。
【００４３】
また、移動体５７を図７の矢印５２方向へ付勢する例えばねじりコイルばねから成る付勢部材５３を備えている。
【００４４】
移動体５１に対向する上述した画像表示装置１の面部は、図１１に示すように、回動支点３４を中心に回動可能な回動体３３を配置してあり、この回動体３３には移動体５１方向に向って突出する突起３２を形成させてある。移動体５１には、回動体３３が回動支点３４を中心にして図１１の反時計方向に回動したとき、突起３２が嵌入する孔を形成してある。
【００４５】
また、上述した第１ドラム部２に固定される第１ラック３５のガイド溝３８には、図１２，１３に示すようにテーパ部３９を形成してある。このテーパ部３９付近の第１ラック３５の端部に重ね合わせるように、図１０に示すスライダ４０を配置してある。このスライダ４０には、同図１０あるいは図１２，１３に示すように、例えばＬ字状のガイド穴４２を形成してある。このスライダ４０は、ばね４１によって図７の右方向に付勢されている。ばね４１の一端は第１ラック３５に固定され、他端はスライダ４０に固定されている。スライダ７は、同図７の左右方向に摺動可能に形成してある。
【００４６】
また、図７に示すように、回動支点４４が、この遊戯機の図示しないケーシング内に保持されるギヤ４６と、このギヤ４６と一体に設けられるアーム４５とを備えている。このアーム４５の図７における下端側には、上述した第１ラック３５のテーパ部３９に係合すると共に、上述したスライダ４０のＬ字状のガイド穴４２内に挿入されるピン４３を形成させてある。このアーム４５の図７における上端側には、図１１にも示すように、回動体３３の縁部に係合可能な係合部４７を形成させてある。アーム４５は、例えば適度の弾性を有する金属板から成っている。
【００４７】
さらに、この遊戯機の図示しないケーシング内に保持され、上述のギヤ４６に係合するギヤ４８と、このギヤ４８と一体に設けられ、上述した第２ギヤ部を構成するギヤ５９に噛み合うギヤ４９とを備えている。
【００４８】
上述したスクリュー３０及びギヤ３１は、駆動モータ５４の駆動により画像表示装置１の配設位置を変更させるようにこの画像表示装置１を移動させる第１移動機構、例えば画像表示装置１を図７の紙面の上下方向である前後方向へ進退させる第１移動機構が構成されている。
【００４９】
また、上述した第１ラック３５及び第２ラック３６と、ギヤ３７と、スライダ４０及びばね４１と、ギヤ４６と，アーム４５と、ギヤ４８，４９とによって、駆動モータ５４により第１ドラム部２と第２ドラム部３とから成るドラム部材の配設位置を変更させるようにこのドラム部材を移動させる第２移動機構、例えば第１ドラム部２と第２ドラム部３とを相互に接離する左右方向へ移動させる第２移動機構が構成されている。
【００５０】
また、上述した突起３２を有する回動体３３と、この回動体３３の突起３２に押されて図７の上方向に移動可能な移動体５１、及びこの移動体５１に設けられるギヤ５６，５７，５８，５９と、移動体５１を付勢する付勢部材５３と、アーム４５に形成した係合部４７とによって、駆動モータ５４の動力を上述した第１移動機構及び第２移動機構のいずれかを作動させる力として選択的に伝える動力切換機構が構成されている。
【００５１】
［第２実施形態の動作］
図７に示す状態では、上述の図２，３に示したと同様に、中央位置に画像表示装置１が配置され、この画像表示装置１の左右に第１ドラム部２と第２ドラム部３のそれぞれが並べて配置されている。すなわち、この遊戯機の前面側に、画像表示装置１と、第１ドラム部２及び第２ドラム部３との３つが並べて配置される第１の表示形態が形成されている。
【００５２】
この第１の表示形態にあっては、画像表示装置１を移動させる第１移動機構に含まれるスクリュー３０の一端側に画像表示装置１が位置し、スクリュー３０の他端側に固定したギヤ３１が、移動体５１に設けたギヤ５７と係合し、このギヤ５７と一体に設けたギヤ５６が駆動モータ５４の出力軸に設けたウォーム５５と噛み合う状態となる。また、ギヤ５８はウォーム５５との噛み合いを解かれた状態にあり、ドラム部材を移動させる第２移動機構に含まれるアーム４５のピン４３は、図１２に示すように第１ラック３５に備えられるガイド溝３８のテーパ部３９の高位置に係合すると共に、スライダ４０のガイド穴４２の同図１２の左側端の上部に位置している。
【００５３】
また、第１ドラム部２と第２ドラム部３を移動させる第２移動機構に含まれる第１ラック３５の図７の右端部分がギヤ３７に噛み合い、第２移動機構に含まれる第２ラック３０の図７の左端部分がギヤ３７に噛み合っている。
【００５４】
この第１の表示形態にある状態から、駆動モータ５４を駆動し、ウォーム１２を介してギヤ５６，５７を回転させると、ギヤ３１及びスクリュー３０が回転し、スクリュー３０の回転によって画像表示装置１が後方へ退くように移動する。この画像表示装置１の移動によって、この画像表示装置１に設けた回動体３３の突起３２が移動体５１の面部に当り、この移動体５１を付勢部材５３の付勢力に抗して図７の上方向、すなわち矢印５２とは反対方向に移動させる。これによって、ギヤ５６とウォーム５５との噛み合いが解かれ、ギヤ５８がウォーム５５に噛み合う状態となる。ギヤ５６とウォーム５５との噛み合いが解かれることにより、ギヤ３１及びスクリュー３０の回転が係止し、これによって画像表示装置１の後退が停止する。また、ギヤ５８がウォーム５５に噛み合うことにより、ウォーム５５の回転力がギヤ５８に伝えられ、ギヤ５８，５９が回転し、これに伴ってギヤ４９，４８，４６が回転する。ギヤ４６の回転により、アーム４５が図７の反時計方向に回動し、アーム４５のピン４３が図１３に示すガイド溝３８のテーパ部３９の低位置まで移動し、縁部６２に係合する。したがって、アーム４５の回動力がピン４３を介して第１ラック５の図７の右方向への移動力として伝えられ、第１ラック３５が図７の右方向に移動する。この移動と一体に第１ドラム部２が図７の右方向に移動する。
【００５５】
また、第１ラック３５の移動と連動してギヤ３７を介して第２ラック３６が図１の左方向に移動する。この移動と一体に第２ドラム部３が図７の左方向に移動する。すなわち、第１ドラム部２と第２ドラム部３とが互いに接近する方向に移動し、図８に示す状態において、これらの第１ドラム部２と第２ドラム部３の移動が終了するように駆動モータ５４は停止制御される。
【００５６】
この状態に至ると、上述の図５，６におけるのと同様に、遊戯機の前面に第１ドラム部２及び第２ドラム部３の２つだけが並べて配置される第２の表示形態が形成される。画像表示装置１は、これらの第１ドラム部２、第２ドラム部３の後方に位置するので、この遊戯機の前側からは見えない状態となる。
【００５７】
また、図８に示すように第２の表示形態にある状態から駆動モータ５４を反転駆動すると、その回転力がウォーム５５、ギヤ５８，５９，４９，４８を介してギヤ４６に伝えられ、このギヤ４６が同図８の時計方向に回転する。このギヤ４６の回転と一体にアーム４５が時計方向に回転し、アーム４５のピン４３が図１３に示すようにスライダ４０のガイド穴４２の同図１３の左縁部に係合し、このスライダ４０を図８の左方向に移動させる。このスライダ４０に与えられる移動力がばね４１を介して第１ラック３５に伝えられ、この第１ラック３５が図８の左方向に移動する。これに連動してギヤ３７を介して第２ラック３６が図８の右方向に移動する。第１ドラム部２、第２ドラム部３が左右方向の所定位置まで移動したとき、これらの第１ドラム部２、第２ドラム部３は、図示しないストッパに当接して停止する。
【００５８】
引き続いて行われるアーム４５の回動により、アーム４５のピン４３が、図１２の矢印６１で示すように、第１ラック３５に備えられるガイド溝３８のテーパ部３９の低位置から高位置まで上昇し、アーム４５の端部に形成した係合部が図１１に示すように、画像表示装置１に設けた回動体３３の縁部に係合し、この回動体３３を図１１の反時計方向に回動させる。この回動体３３の回動により、回動体３３に形成した突起３２が移動体５１に形成してある孔に嵌入する。これにより、付勢部材５３の付勢力で移動体５１は、図８の紙面の下方向に向って移動し、図９に示す状態に至る。
【００５９】
この状態に至ると、ギヤ５８とウォーム５５との噛み合いが解かれ、ウォーム５５とギヤ５６とが噛み合い、ウォーム５５の回転力がギヤ５６，５７を介してギヤ３１に伝えられる。これによりギヤ３１及びスクリュー３０が回転し、画像表示装置１が図９の下方向に向って移動する。図７に示す状態まで画像表示装置１が移動したとき、駆動モータ５４は停止制御される。これによって、画像表示装置１が第１ドラム部２と第２ドラム部３との間に位置する同図７に示す第１の表示形態となる。
【００６０】
このように構成した本発明の第２実施形態によれば、駆動モータ５４の駆動により、第１移動機構に含まれるスクリュー３０及びギヤ３１を介して画像表示装置１を後退あるいは前進させることができる。また、第２移動機構に含まれるギヤ４８，４９、アーム４５、スライダ４０、第１ラック３５、及び第２ラック３６を介して、第１ドラム部２及び第２ドラム部３を左右方向に移動させることができる。これらの動作によって、上述した図２，３におけるのと同様の第１の表示形態と、図５，６におけるのと同様の第２の表示形態のいずれかを実現できる。
【００６１】
すなわち、上述の第１実施形態におけるのと同様に、第１移動機構、第２移動機構を作動させる駆動源である駆動モータ５４は１個で済む。したがって、第１ドラム部２及び第２ドラム部３を含むドラム部材と、画像表示装置１の配設位置の変更を簡単な構成で実現でき、装置全体の大型化、及び製作費の高騰化を抑えながら、さらに優れた斬新性を確保することができる。
【００６２】
また、画像表示装置１を移動させる第１移動機構の作動と、第１ドラム部２、第２ドラム部３を含むドラム部材を移動させる第２移動機構の作動との切換えを、駆動モータ５４の動力を第１移動機構に備えられるギヤ５６，５７を含む第１ギヤ部と、駆動モータ５４の動力を第２移動機構に伝えるギヤ５８，５９を含む第２ギヤ部を介して行わせるようにしてある。これによって、画像表示装置１及びドラム部材の円滑な移動を実現させることができ、精度の高い配設位置変更性能を確保できる。
【図面の簡単な説明】
【００６３】
【図１】本発明に係る遊戯機用役物装置の第１実施形態を示す図で、画像表示装置を前進させた状態を示す平面図である。
【図２】図１の状態における画像表示装置、第１ドラム部、及び第２ドラム部の配置を示す平面図である。
【図３】図２の正面図である。
【図４】本発明の第１実施形態を示す図で、画像表示装置を後退させた状態を示す平面図である。
【図５】図４の状態における画像表示装置、第１ドラム部、及び第２ドラム部の配置を示す平面図である。
【図６】図５の正面図である。
【図７】本発明の第２実施形態を示す図で、画像表示装置を前進させた状態を示す平面図である。
【図８】本発明の第２実施形態を示す図で、画像表示装置を後退させた状態を示す平面図である。
【図９】本発明の第２実施形態における動力切換動作を説明する平面図である。
【図１０】本発明の第２実施形態に備えられる第１ラックの要部、及びこの第１ラックに関連して設けられるスライダを示す平面図である。
【図１１】本発明の第２実施形態に備えられる突起を有する回動体と、第１ラックの係合部との係合関係を示す図である。
【図１２】図７及び図９の状態にある第１ラックと、スライダと、アームのピンとの位置関係を示す図である。
【図１３】図８の状態にある第１ラックと、スライダと、アームのピンとの位置関係を示す図である。
【符号の説明】
【００６４】
１    画像表示装置
２    第１ドラム部（ドラム部材）
３    第２ドラム部（ドラム部材）
４    ガイド部材（第１移動機構）
５    第１ガイド溝
６    第２ガイド溝
７    ガイド溝
８    第１ラック（第２移動機構）
９    第２ラック（第２移動機構）
１０  ギヤ（第２移動機構）
１１  駆動モータ
１２  ウォーム
１３  ギヤ
１４  回動支点
１５  第１カム部（動力切換機構）
１６  第２カム部（動力切換機構）
１７  第１回動支点
１８  第１アーム（第１移動機構）
１９  第２回動支点
２０  第２アーム（第１移動機構）
２１  ピン
２２  ピン
２３  ピン
２４  回動支点
２５  アーム（第２移動機構）
２６  ピン
２７  ピン
２８  表示領域
３０  スクリュー（第１移動機構）
３１  ギヤ（第１移動機構）
３２  突起（動力切換機構）
３３  回動体（動力切換機構）
３４  回動支点
３５  第１ラック（第２移動機構）
３６  第２ラック（第２移動機構）
３７  ギヤ（第２移動機構）
３８  ガイド溝
３９  テーパ部
４０  スライダ（第２移動機構）
４１  ばね（第２移動機構）
４２  ガイド穴
４３  ピン
４４  回動支点
４５  アーム（第２移動機構）
４６  ギヤ（第２移動機構）
４７  係合部（動力切換機構）
４８  ギヤ（第２移動機構）
４９  ギヤ（第２移動機構）
５０  矢印
５１  移動体（動力切換機構）
５２  矢印
５３  付勢部材（動力切換機構）
５４  駆動モータ
５５  ウォーム
５６  ギヤ（第１ギヤ部）〔動力切換機構〕
５７  ギヤ（第１ギヤ部）〔動力切換機構〕
５８  ギヤ（第２ギヤ部）〔動力切換機構〕
５９  ギヤ（第２ギヤ部）〔動力切換機構〕
６０  縁部
６１  矢印
６２  縁部
【図１】
2006102218.tif 000003
【図２】
2006102218.tif 000004
【図３】
2006102218.tif 000005
【図４】
2006102218.tif 000006
【図５】
2006102218.tif 000007
【図６】
2006102218.tif 000008
【図７】
2006102218.tif 000009
【図８】
2006102218.tif 000010
【図９】
2006102218.tif 000011
【図１０】
2006102218.tif 000012
【図１１】
2006102218.tif 000013
【図１２】
2006102218.tif 000014
【図１３】
2006102218.tif 000015